(57)【要約】【課題】溶着性ビーズ玩具の集合体の結合強度を高めることができる溶着性ビーズ玩具を提供する。【解決手段】溶着性ビーズ玩具１０は、複数の突起１２と複数の窪み１３を備える。突起１２は、４つの平坦面１２ａ，１２ｂ，１２ｃ，１２ｄと、この平坦面１２ａ，１２ｂ，１２ｃ，１２ｄが組み合わされて一つの頂部１２ｅを形成する。窪み１３は、隣り合う３つの突起１２において向かい合う３つの平坦面が組み合わされて一つの窪み１３が形成される。このように形成される溶着性ビーズ玩具１０では、少なくとも投影図の一つは、星形となる。【選択図】    図１
2020078687.tif 000002
【特許請求の範囲】
【請求項１】
複数の突起と複数の窪みとを備え、前記複数の窪みの各々は、３つの隣接した突起の、３つの互いに対向する面を接続することにより形成される溶着性ビーズ玩具。
【請求項２】
少なくとも一つの方向から投影された形状が星形となる請求項１に記載の溶着性ビーズ玩具。
【請求項３】
前記複数の突起のうちの第一の突起に隣り合う複数の第二の突起は、放射状に配置される請求項１又は請求項２に記載の溶着性ビーズ玩具。
【請求項４】
前記複数の突起のうちの少なくとも一つは、複数の平坦面により形成されて一つの頂部を有する請求項１又は請求項２に記載の溶着性ビーズ玩具。
【請求項５】
複数の前記平坦面は、４つの四角形状平坦面である請求項４に記載の溶着性ビーズ玩具。
【請求項６】
前記突起は１８個であり、前記平坦面は七十二面ある請求項５に記載の溶着性ビーズ玩具。
【請求項７】
透明又は透光性を有する材料を含む請求項１又は請求項２に記載の溶着性ビーズ玩具。
【発明の詳細な説明】
【技術分野】
【０００１】
本発明は、水溶性樹脂で形成された溶着性ビーズ玩具に関する。
【背景技術】
【０００２】
従来から、水溶性樹脂で形成された溶着性ビーズ玩具が提供されている。例えば、特許文献１に記載されるビーズ玩具セットでは、水溶性樹脂で形成された球状の溶着性ビーズが開示されている。また、特許文献２には、水溶性樹脂で形成された透明な多面体形状の溶着性ビーズ玩具が開示されている。
【０００３】
これらの溶着性ビーズ玩具は、例えば、以下のように遊ぶことができる。先ず、凹部が形成された保持トレイに、任意の絵柄に合わせて球状や多面体形状の溶着性ビーズ玩具を選んで載置する。このとき、溶着性ビーズ玩具は、相互に接触している。溶着性ビーズ玩具を保持トレイに載置した後、溶着性ビーズ玩具に霧吹き等で水を掛けると、溶着性ビーズ玩具が湿潤状態となる。すると、溶着性ビーズ玩具は融解し、接触している溶着性ビーズ玩具同士が接続される。そして、そのまま乾燥させると、溶着性ビーズ玩具が相互に接続された状態で硬化する。または、これらの溶着性ビーズ玩具を積層させて硬化させることもできる。このようにして、使用者は、任意の絵柄や形状に合わせて球状や多面体形状を選んで溶着性ビーズ玩具の集合体を作成して楽しく遊ぶことができる。
【先行技術文献】
【特許文献】
【０００４】
【特許文献１】実用新案登録第３１３１２９２号公報
【特許文献２】特開２０１３−１４３９８６号公報
【発明の概要】
【発明が解決しようとする課題】
【０００５】
溶着性ビーズ玩具の集合体の作成は、複数の溶着性ビーズ玩具だけで構成する場合もあれば、溶着性ビーズ玩具の集合体に穴部等の間欠部を作成して、この間欠部に装飾部材（例えば、宝石おもちゃやビー玉等）の別の物品を挿入して遊ぶこともある。また、作成した溶着性ビーズ玩具の集合体は、かばんや衣類等に飾り物として取付けることもある。このように、別物品を挿入して取り付けたり、飾り物として屋外に持ち出したりする場合には、溶着性ビーズ玩具同士の結合の強度が足りないこともある。  
【０００６】
本発明の目的は、溶着性ビーズ玩具同士の結合強度を高めることができる溶着性ビーズ玩具を提供する。
【課題を解決するための手段】
【０００７】
本発明の一つの態様に係る溶着性ビーズ玩具は、複数の突起と複数の窪みが形成されることを特徴とする。
【発明の効果】
【０００８】
上記の態様によれば、溶着性ビーズ玩具同士の結合強度を高めた溶着性ビーズ玩具を提供することができる。
【図面の簡単な説明】
【０００９】
【図１】本発明の実施形態に係る溶着性ビーズ玩具を示す斜視図である。
【図２】本発明の実施形態に係る溶着性ビーズ玩具を備えるビーズ玩具セットの使用例を示す斜視図である。
【図３】本発明の実施形態に係る溶着性ビーズ玩具を備えるビーズ玩具セットについての図２の一部拡大斜視図である。
【図４】本発明の実施形態に係る溶着性ビーズ玩具の変形例１を示す斜視図である。
【図５】本発明の実施形態に係る溶着性ビーズ玩具の変形例２を示す斜視図である。
【図６】本発明の実施形態に係る溶着性ビーズ玩具の変形例３を示す図であり、（ａ）は平面図であり、（ｂ）は正面図であり、（ｃ）は斜視図である。
【図７】本発明の実施形態に係る溶着性ビーズ玩具の変形例４を示す図であり、（ａ）は平面図であり、（ｂ）は正面図であり、（ｃ）は斜視図である。
【図８】本発明の実施形態に係る溶着性ビーズ玩具の変形例５を示す図であり、（ａ）は平面図であり、（ｂ）は正面図であり、（ｃ）は斜視図である。
【発明を実施するための形態】
【００１０】
次に、図に基づいて、本発明の実施形態を説明する。図１に示すように、溶着性ビーズ玩具１０には、複数の突起１２と複数の窪み１３が形成されている。
【００１１】
突起１２は、その表面に、複数とされる４つの四角形状の平坦面１２ａ，１２ｂ，１２ｃ，１２ｄを備える。各平坦面１２ａ，１２ｂ，１２ｃ，１２ｄは、それぞれの両隣りと一辺を共有して組み合わせられて、一つの頂部１２ｅを形成する。例えば、平坦面１２ａ−１は、両隣りの平坦面１２ｂ−１，１２ｄ−１とそれぞれ一辺を共有している。
【００１２】
また、突起１２に隣り合う複数の突起１２は、放射状に配置される。例えば、突起１２−１に隣り合う６個の突起１２−２，１２−３，１２−４，１２−５，１２−６，１２−７は、放射状に配置されている。各突起１２は、一方の突起１２の平坦面１２ａ，１２ｂ，１２ｃ，１２ｄの何れかが他方の突起１２の平坦面１２ａ，１２ｂ，１２ｃ，１２ｄの何れかと接続するように配置される。このようにして、本実施形態の溶着性ビーズ玩具１０では、突起１２は１８個形成される。従って、溶着性ビーズ玩具１０は、七十二面の平坦面（平坦面１２ａ，１２ｂ，１２ｃ，１２ｄ）を備える。
【００１３】
また、窪み１３は、隣り合う３つの突起１２において向かい合う３つの平坦面（平坦面１２ａ，１２ｂ，１２ｃ，１２ｄの何れか）が組み合わされて一つの窪み１３が形成される。具体的には、隣り合う３つの突起１２−１，１２−４，１２−５のうち、向かい合う３つの平坦面１２ａ−１，１２ｂ−４，１２ｄ−５が組み合わされて窪み１３−１が形成される。詳細には、向かい合う３つの平坦面１２ａ−１，１２ｂ−４，１２ｄ−５のうち、各突起１２−１，１２−４，１２−５において隣り合う平坦面１２ｂ−１，１２ｄ−１、１２ａ−４，１２ｃ−４、１２ａ−５，１２ｃ−５と共有していない辺が窪み１３−１の形成において共有されるように、向かい合う３つの平坦面１２ａ−１，１２ｂ−４，１２ｄ−５が組み合わされる。窪み１３は一つの窪み頂部１３ｅ（窪み頂部１３ｅ−１）を備える。このように形成される溶着性ビーズ玩具１０では、少なくとも投影図の一つは、星形となる。
【００１４】
溶着性ビーズ玩具１０は、水溶性材料の樹脂により形成されている。具体的には、ポリビニルアルコールを樹脂に配合して混錬して形成されている。また、溶着性ビーズ玩具１０を形成する樹脂は、透明材料や透光性を有する材料又は不透明材料を適宜選択して形成することができる。ここで、透明材料や透光性を有する材料を選択して溶着性ビーズ玩具１０を形成した場合には、溶着性ビーズ玩具１０に入射する光は、突起１２や窪み１３で繰り返し反射されたり、溶着性ビーズ玩具１０の内部を透過して出てきた光が突起１２や窪み１３で繰り返し反射されたりする。そして、７２面体として形成される溶着性ビーズ玩具１０では、一つの突起１２の平坦面１２ａ，１２ｂ，１２ｃ，１２ｄと、他の一つの突起１２の平坦面１２ａ，１２ｂ，１２ｃ，１２ｄの距離が短い。従って、高い輝度で溶着性ビーズ玩具１０の表面で光の乱反射が生じて光り輝いているように見える。そして、前述の通り、溶着性ビーズ玩具１０では投影面が星形にみえるので、より綺麗に見せることができる。
【００１５】
図２は、ビーズ玩具セット８０の使用例を示す。ここで、ビーズ玩具セット８０は、突起１２と窪み１３を備える複数の溶着性ビーズ玩具１０と、球状の複数の溶着性ビーズ玩具２２と、多面体（本実施形態では菱形三十面体）の複数の溶着性ビーズ玩具２４と、樹脂メッキが施された複数の装飾ビーズ玩具３０と、保持トレイ５０と、を備える。
【００１６】
なお、溶着性ビーズ玩具２２，２４は、溶着性ビーズ玩具１０と同様に、ポリビニルアルコールを樹脂に配合して混錬し、透明又は不透明の有色又は無色の球状や多面体形状に成形される。
【００１７】
また、装飾ビーズ玩具３０は、非水溶性材料の樹脂により形成されて樹脂メッキが施されている。従って、装飾ビーズ玩具３０の表面は、金色又は銀色等の色で高反射率に形成されている。装飾ビーズ玩具３０は、周囲に溶着性ビーズ玩具１０，２２，２４が配置されて硬化することで保持される。
【００１８】
保持トレイ５０は四角形状の板状に形成されている。保持トレイ５０の表面には複数の円形の凹部５２が設けられている。凹部５２は、異なる行（または列）毎にオフセットして配置されている。これにより、凹部５２に載置された溶着性ビーズ玩具１０，２２,２４、や装飾ビーズ玩具３０の周囲には、溶着性ビーズ玩具１０，２２，２４を放射状に６個載置することができる。また、凹部５２の直径は、溶着性ビーズ玩具１０，２２，２４などの直径よりも小さく形成されるとともに、隣り合う凹部５２の中心間の距離は、隣り合う凹部５２に配置された溶着性ビーズ玩具１０，２２，２４が相互に接触して又は相互に僅かに接触しない程度に配置されるよう設定されている。
【００１９】
このビーズ玩具セット８０の遊び方は、以下の通りである。先ず、複数の溶着性ビーズ玩具１０，２２，２４及び装飾ビーズ玩具３０を任意の絵柄を呈する形状となるよう保持トレイ５９に載置する。図２の例では全体をハート形状となるよう溶着性ビーズ玩具１０，２２，２４及び装飾ビーズ玩具３０を任意に配置して、溶着性ビーズ玩具の集合体４０を形成する。
【００２０】
図２の溶着性ビーズ玩具の集合体４０の一部を拡大して示す図３に示すように、溶着性ビーズ玩具１０同士は、各溶着性ビーズ玩具１０の突起１２同士の複数の平坦面（図１で示す平坦面１２ａ，１２ｂ，１２ｃ，１２ｄ）同士が接触して係合する。また、球状の溶着性ビーズ玩具２２や多面体形状の溶着性ビーズ玩具２４も、溶着性ビーズ玩具１０の突起１２の複数の平坦面に接触する。
【００２１】
このように保持トレイ５０に配置されたビーズ玩具の集合体４０に霧吹き等で水を掛けると、溶着性ビーズ玩具１０，２２，２４の表面が融解し、溶着性ビーズ玩具１０，２２，２４同士は接続される。このとき、余分な水は、保持トレイ５０の凹部５２に落下して貯留される。そして、溶着性ビーズ玩具の集合体４０に水を掛けた後、そのまま乾燥させると、溶着性ビーズ玩具１０，２２，２４同士は接続された状態で硬化する。すると、溶着性ビーズ玩具１０の突起１２の複数の平坦面１２ａ，１２ｂ，１２ｃ，１２ｄと接触する溶着性ビーズ玩具１０，２２，２４は、球状の溶着性ビーズ玩具２２や多面体形状の溶着性ビーズ玩具２４同士で接触した場合に比べて、接触面積が増えるので、溶着性ビーズ玩具の集合体４０が硬化したときの結合の強度を高めることができる。
【００２２】
次に、本発明の実施形態に係る溶着性ビーズ玩具１０の形状が異なる変形例を説明する。
【００２３】
（変形例１）
図４に示す溶着性ビーズ玩具１０Ａは、複数の突起１２Ａと、複数の窪み１３Ａを備える。突起１２Ａは、略半球状に形成される。突起１２Ａに隣り合う複数の突起１２Ａは、各突起１２Ａの表面が接続するように放射状に配置される。具体的には、例えば突起１２Ａ−１の周囲には、放射状に６個の突起１２Ａ−２，１２Ａ−３，１２Ａ−４，１２Ａ−５，１２Ａ−６，１２Ａ−７が配置される。そして、向かい合う３つの突起１２Ａ（例えば突起１２Ａ−１，１２Ａ−２，１２Ａ−３）の間には、窪み１３Ａ（窪み１３Ａ−１）が形成される。
【００２４】
（変形例２）
図５に示す溶着性ビーズ玩具１０Ｂは、複数の突起１２Ｂと、複数の窪み１３Ｂを備える。突起１２Ｂは、略半球状に形成される。突起１２Ｂに隣り合う複数の突起１２Ｂは、各突起１２Ｂの表面が接続するように放射状に配置される。具体的には、例えば突起１２Ｂ−１の周囲には、放射状に４個の突起１２Ｂ−２，１２Ｂ−３，１２Ｂ−４，１２Ｂ−５が配置される。そして、向かい合う３つの突起１２Ｂ（例えば突起１２Ｂ−１，１２Ｂ−２，１２Ｂ−３）の間には、窪み１３Ｂ（窪み１３Ｂ−１）が形成される。
【００２５】
（変形例３）
図６（ａ）〜（ｃ）に示す溶着性ビーズ玩具１０Ｃは、複数の突起１２Ｃと、複数の窪み１３Ｃを備える。５つの突起１２Ｃ（突起１２Ｃ−１，１２Ｃ−２，１２Ｃ−３，１２Ｃ−４，１２Ｃ−５）は、図６（ｂ）では突起１２Ｃ−２，１２Ｃ−４の側面視で示されるように、外周を円弧状にして、一方向である上下方向に延びるように形成される。各突起１２Ｃは、図６（ｂ）で示す突起１２Ｃ−３の正面視を楕円形状として、図６（ａ），（ｃ）に示すように外周先端に向かって窄まるように形成されて、図６（ａ）の平面視において星形に配置される。図６（ａ）に示すように、溶着性ビーズ玩具１０Ｃの少なくとも投影図の一つは星形とされる。そして、各突起１２Ｃ（突起１２Ｃ−１，１２Ｃ−２，１２Ｃ−３，１２Ｃ−４，１２Ｃ−５）間は、一方向である上下方向に長い窪み１３Ｃ（窪み１３Ｃ−１，１３Ｃ−２，１３Ｃ−３，１３Ｃ−４，１３Ｃ−５）とされる。
【００２６】
（変形例４）
図７（ａ）〜（ｃ）に示す溶着性ビーズ玩具１０Ｄは、複数の突起１２Ｄと、複数の窪み１３Ｄを備える。５つの突起１２Ｄ（突起１２Ｄ−１，１２Ｄ−２，１２Ｄ−３，１２Ｄ−４，１２Ｄ−５）は、図７（ｂ）では突起１２Ｄ−２，１２Ｄ−４の側面視で示されるように、外周を円弧状とされ、一方向である上下方向に延びるように形成される。各突起１２Ｄは、図７（ａ）に示すように外周先端に向かって窄まるように形成されるが、図７（ａ），（ｃ）で示すように、各突起１２Ｄは上下端で連続した球面状の面で連続的に接続されて、図７（ａ）で示す平面視において星形に配置される。図７（ａ）に示すように、溶着性ビーズ玩具１０Ｃの少なくとも投影図の一つは星形とされる。そして、各突起１２Ｄ（突起１２Ｄ−１，１２Ｄ−２，１２Ｄ−３，１２Ｄ−４，１２Ｄ−５）間は、一方向である上下方向に長い窪み１３Ｄ（窪み１３Ｄ−１，１３Ｄ−２，１３Ｄ−３，１３Ｄ−４，１３Ｄ−５）とされる。
【００２７】
図８（ａ）〜（ｃ）に示す溶着性ビーズ玩具１０Ｅは、複数の突起１２Ｅと、複数の窪み１３Ｅを備える。５つの突起１２Ｅ（突起１２Ｅ−１，１２Ｅ−２，１２Ｅ−３，１２Ｅ−４，１２Ｅ−５）は、図８（ｂ）では突起１２Ｅ−２，１２−４の側面視で示されるように、上側の外周を円弧状として下側の外周を直線状とされ、一方向である上下方向に延びるように形成される。各突起１２Ｅは、図８（ａ）に示すように先端に向かって窄まるように形成され、下端は半球部１５Ｅと接続される。そして、図７（ａ）に示すように、溶着性ビーズ玩具１０Ｅの少なくとも投影図の一つは星形とされる。各突起１２Ｅ（突起１２Ｅ−１，１２Ｅ−２，１２Ｅ−３，１２Ｅ−４，１２Ｅ−５）間は、一方向である上下方向に長い窪み１３Ｅ（窪み１３Ｅ−１，１３Ｅ−２，１３Ｅ−３，１３Ｅ−４，１３Ｅ−５）とされる。
【００２８】
以上のような本発明の実施形態によれば、下記の態様の溶着性ビーズ玩具を提供することができる。
【００２９】
第１の態様に係る溶着性ビーズ玩具は、複数の突起と複数の窪みが形成される。
【００３０】
この構成によれば、溶着性ビーズ玩具の本体部の突起と窪みに、他の溶着性ビーズ玩具を係合させることができる。従って、従来よりも溶着性ビーズ玩具同士の接触面積が増えるので、溶着性ビーズ玩具同士の結合強度を高めた溶着性ビーズ玩具を提供することができる。そして、この溶着性ビーズ玩具を用いて溶着性ビーズ玩具の集合体を作成すれば、破損し難い溶着性ビーズ玩具の集合体を得られる。従って、使用者は、溶着性ビーズ玩具の集合体に別の装飾部材を嵌め合わせたり、かばんや衣服等に取付ける等、溶着性ビーズ玩具の集合体を用いてさらに楽しく遊ぶことができる。
【００３１】
第２の態様に係る溶着性ビーズ玩具は、少なくとも投影図の一つが星形となる。
【００３２】
この構成によれば、所定の方向から見た溶着性ビーズ玩具が星形に見えるため、溶着性ビーズ玩具の集合体の装飾効果を向上させることができる。
【００３３】
第３の態様に係る溶着性ビーズ玩具は、前記突起に隣り合う複数の前記突起は、放射状に配置される。
【００３４】
この構成によれば、溶着性ビーズ玩具が備える突起と窪みを密に配置することができる。従って、さらに溶着性ビーズ玩具同士の結合強度を高めることができる。
【００３５】
第４の態様に係る溶着性ビーズ玩具は、前記突起は、複数の平坦面により形成されて一つの頂部を有する。
【００３６】
この構成によれば、溶着性ビーズ玩具は、複数の平坦面によって光の拡散反射（乱反射）を生じさせ、溶着性ビーズ玩具の集合体をより綺麗に見せることができる。また、一方の溶着性ビーズ玩具の突起の頂部が他方の溶着性ビーズ玩具の窪みに向かって深く係合されるので、さらに溶着性ビーズ玩具同士の結合強度を高めることができる。
【００３７】
第５の態様に係る溶着性ビーズ玩具は、複数の前記平坦面は、４つの四角形状平坦面である。
【００３８】
この構成によれば、溶着性ビーズ玩具は、４面により１つの突起が形成されることにより、溶着性ビーズ玩具を射出成形で製造する場合において、アンダーカットが生じない金型レイアウトを実現することができる。
【００３９】
第６の態様に係る溶着性ビーズ玩具は、前記突起は１８個あり、前記平面は七十二面ある。
【００４０】
この構成によれば、溶着性ビーズ玩具は、纏まりよく多数の平坦面を備える多面体形状を形成することができ、従って接触面積を増加させつつ、光の拡散反射（乱反射）により溶着性ビーズ玩具の集合体を綺麗に見せることができる。
【００４１】
第７の態様に係る溶着性ビーズ玩具は、透明又は透光性を有する材料からなる。
【００４２】
この構成によれば、溶着性ビーズ玩具は、溶着性ビーズ玩具に直接入射する光だけでなく、溶着性ビーズ玩具の内部を透過して出てくる光も突起の平坦面や窪みで反射されたり、突起を透過する光が突起を出射して他の突起や窪みで反射されたりするので、さらに光り輝いているように見える。これにより、溶着性ビーズ玩具をより綺麗に見せることができ、装飾効果を高めた溶着性ビーズを提供することができる。
【００４３】
以上、本発明の実施形態について説明したが、本発明は上記実施形態に限定されるものではなく、その要旨を逸脱しない限りにおいて、種々の変更が可能である。
【符号の説明】
【００４４】
１０，１０Ａ〜１０Ｅ        溶着性ビーズ玩具
１２，１２Ａ〜１２Ｅ        突起
１２−１，１２−２          突起
１２Ａ−１〜１２Ｅ−１，１２Ａ−２〜１２Ｅ−２，１２Ｃ−３  突起
１２ａ〜１２ｄ，１２ａ−１〜１２ｄ−１      平坦面
１２ｅ      頂部
１３，１３Ａ〜１３Ｅ        窪み
１３ｅ    窪み頂部
１３Ａ−１〜１３Ｃ−１，１３Ｅ−１  窪み
１５Ｅ      半球部                  ２２        溶着性ビーズ玩具
２４        溶着性ビーズ玩具        ３０        装飾ビーズ玩具
４０        集合体                  ５０        保持トレイ
５２        凹部                    ８０        ビーズ玩具セット
【図１】
2020078687.tif 000003
【図２】
2020078687.tif 000004
【図３】
2020078687.tif 000005
【図４】
2020078687.tif 000006
【図５】
2020078687.tif 000007
【図６】
2020078687.tif 000008
【図７】
2020078687.tif 000009
【図８】
2020078687.tif 000010